(57)【要約】【課題】断熱扉の下方の床部分にて高い断熱性を奏させるとともに、同床部分を車両の通行に支障の無い状態にする。【解決手段】断熱扉で出入り可能な断熱室の床部のうちで前記断熱扉の下方の床部分に設けられる断熱構造である。前記床部は、少なくとも上部にセメント組成体の部分を有する。前記セメント組成体の部分のうちで前記断熱扉の下方の床部分には、密封且つ減圧された収容体内に多孔質構造の芯材が収容されてなるシート状の断熱部材が埋設されている。【選択図】図５
2014167363.tif 000002
【特許請求の範囲】
【請求項１】
断熱扉で出入り可能な断熱室の床部のうちで前記断熱扉の下方の床部分に設けられる断熱構造であって、
前記床部は、少なくとも上部にセメント組成体の部分を有し、
前記セメント組成体の部分のうちで前記断熱扉の下方の床部分には、密封且つ減圧された収容体内に多孔質構造の芯材が収容されてなるシート状の断熱部材が埋設されていることを特徴とする断熱扉の下方の床部分の断熱構造。
【請求項２】
請求項１に記載の断熱扉の下方の床部分の断熱構造であって、
前記断熱扉の下方の床部分に埋設された前記断熱部材の厚さ方向は、見込み方向を向いていることを特徴とする断熱扉の下方の床部分の断熱構造。
【請求項３】
請求項１又は２に記載の断熱扉の下方の床部分の断熱構造であって、
前記断熱部材の上端縁部は、見付け方向に長尺な見切り材によって上方から覆われており、
前記断熱扉の下方の床部分の上面には、前記見切り材が露出していることを特徴とする断熱扉の下方の床部分の断熱構造。
【請求項４】
請求項３に記載の断熱扉の下方の床部分の断熱構造であって、
前記見切り材は、下面に前記見付け方向に沿った溝部を有し、
前記断熱部材の上端縁部は、前記溝部に差し込まれていることを特徴とする断熱扉の下方の床部分の断熱構造。
【請求項５】
請求項１乃至４の何れかに記載の断熱扉の下方の床部分の断熱構造であって、
前記収容体は、二枚の気密性シートが重ね合わせられた状態で当該二枚の気密性シートの外周縁部同士が溶着されることによって形成されており、
溶着された前記外周縁部は、折り曲げられることによって、前記気密性シートのうちで前記芯材が収容されている部分に重ね合わせられていることを特徴とする断熱扉の下方の床部分の断熱構造。
【請求項６】
請求項３又は４に記載の断熱扉の下方の床部分の断熱構造であって、
前記見切り材は、樹脂製又はゴム製であることを特徴とする断熱扉の下方の床部分の断熱構造。
【請求項７】
請求項１乃至６の何れかに記載の断熱扉の下方の床部分の断熱構造であって、
前記床部のうちで前記断熱室の室内側の床部は、前記セメント組成体の部分の下方に隣接して断熱材を有しており、
前記断熱部材の下部は、前記断熱材に固定されていることを特徴とする断熱扉の下方の床部分の断熱構造。
【請求項８】
請求項１乃至７の何れかに記載の断熱扉の下方の床部分の断熱構造であって、
前記断熱部材の厚さは、前記断熱扉の厚さよりも小さいことを特徴とする断熱扉の下方の床部分の断熱構造。
【発明の詳細な説明】
【技術分野】
【０００１】
本発明は、断熱扉を有する断熱室の床部のうちで同扉の下方の床部分に設けられる断熱構造に関する。
【背景技術】
【０００２】
従来、ケーキ製造などの低温工程を要する食品工場内の低温室、ワイン庫などの低温を維持したい倉庫、医薬品等を低温環境で扱う実験室などのように、室内温度を一定に管理する必要がある室に、断熱室が使用される。
【先行技術文献】
【特許文献】
【０００３】
【特許文献１】特開平９−４９６７号公報
【発明の概要】
【発明が解決しようとする課題】
【０００４】
かかる断熱室は、例えば、建物内にプレハブ造などで小屋を追設することにより実現される。そして、その場合には、断熱室の天井部及び壁部７０については、乾式パネル工法が用いられる。すなわち、天井部及び壁部７０は、断熱性を有した断熱パネル７０Ｐで形成される。一方、床部１０については、例えば、次のようにして形成される。
【０００５】
先ず、図１の概略断面図に示すように、建物の躯体をなすベースコンクリート１上に、壁部７０となる断熱パネル７０Ｐを建て込んでアンカーＡＮＣ等で固定する。次に、当該壁部７０によって内方に区画される室内側のベースコンクリート１ｒ上に発泡ポリスチレンフォーム板等の１００ｍｍ厚の板状の断熱材１０ｒａを敷き込み、その上に、室内側の床部１０ｒの上部となる押さえコンクリート１０ｒｂを打設する。また、壁部７０の外方たる室外側のベースコンクリート１ｅ上には、室外側の床部１０ｅとなる床コンクリート１０ｅｂを打設する。ここで、室内側のベースコンクリート１ｒ上への上記断熱材１０ｒａの敷き込みの際には、当該断熱材１０ｒａと壁部７０たる断熱パネル７０Ｐとが概ね連続するように同断熱材１０ｒａが敷き込まれる。そして、これにより、壁部７０と室内側の床部１０ｒとの境界に断熱欠損が生じないようにされて、高い断熱性が確保される。
【０００６】
他方、かかる断熱室の所定の壁部７０には、図２の概略断面図に示すように、出入口用に開口部７０ｈが設けられ、同開口部７０ｈには、断熱性を有した断熱扉１８０が配される。そして、かかる断熱扉１８０が配される上記開口部７０ｈには、当然ながら、床部１０まで至るような壁部７０が存在し得ないことから、図２のように、当該開口部７０ｈの平面位置では、室内側の床部１０ｒの上部をなす押さえコンクリート１０ｒｂと、室外側の床部１０ｅをなす床コンクリート１０ｅｂとが連続してしまい、その結果、床部１０のうちで開口部７０ｈの下方の床部分１０ｐは、見込み方向に断熱性の低い部分となってしまう。すなわち、床部１０のうちの断熱扉１８０の下方の床部分１０ｐ１にて、見込み方向の断熱欠損を生じてしまう。そして、これにより、当該断熱扉７０の下方の床部分１０ｐ１（以下、扉下床部分１０ｐ１とも言う）では、断熱室の内外の温度差に起因して結露して濡れ易いため、同扉下床部分１０ｐ１で滑って転倒の恐れがある。また、濡れるとカビ等も発生し易くなって衛生上も好ましくない。
【０００７】
かかる扉下床部分１０ｐ１の見込み方向の断熱欠損の回避策として、図３の概略断面図に示すように、当該扉下床部分１０ｐ１に断熱部材１３０を埋設することが挙げられる。すなわち、室内側の床部１０ｒの上部をなす押さえコンクリート１０ｒｂと、室外側の床部１０ｅをなす床コンクリート１０ｅｂとの間に、断熱部材１３０を介挿することが考えられる。そして、このときに、当該介挿される断熱部材１３０を、室内側のベースコンクリート１ｒ上に敷き込まれた既述の断熱材１０ｒａと連続して配置すれば、扉下床部分１０ｐ１の見込み方向の断熱欠損をほぼ回避することができる。
【０００８】
ここで、一般に断熱室の断熱性は、全方位に亘ってほぼ等しくするのが好ましく、この観点からは、扉下床部分１０ｐ１の断熱性についても、室内側の床部１０ｒのそれと同等にするのが好ましい。そして、その際に、当該扉下床部分１０ｐ１の断熱部材１３０として、室内側の床部１０ｒの断熱材１０ｒａと同種のポリスチレンフォーム板１３０を用いた場合には、当該扉下床部分１０ｐ１に埋設するポリスチレンフォーム板１３０の見込み方向の寸法も、室内側の押さえコンクリート１０ｒｂの下方のポリスチレンフォーム板１０ｒａの厚さ（上下方向の寸法）と同寸の１００ｍｍにする必要がある。
【０００９】
但し、この扉下床部分１０ｐ１は、フォークリフトや台車等の各種車両の通り道として使用される。このため、当該扉下床部分１０ｐ１に、上記のように見込み方向の寸法が１００ｍｍという厚いポリスチレンフォーム板１３０が存在すると、当該車両の通過時に同車両の車輪が概ねポリスチレンフォーム板１３０のみに乗ってしまい、同ポリスチレンフォーム板１３０の見込み方向の前後に位置する押さえコンクリート１０ｒｂ及び床コンクリート１０ｅｂでは車両を支えない状態が瞬間的に発生し得て、その結果、同ポリスチレンフォーム板１３０は大きくへこんで、車両の通行が大きく乱れる恐れがある。そのため、扉下床部分１０ｐ１のポリスチレンフォーム板１３０の見込み方向の寸法を小さくする必要がある。しかし、そうすると、扉下床部分１０ｐ１での断熱性を確保できなくなる恐れがある。
【００１０】
より具体的に言えば、例えば、フォークリフト等の車両の通行に支障を来さない見込み方向の寸法は、一般に１５ｍｍ程度とされているが、１５ｍｍ厚のポリスチレンフォーム板１３０では、断熱材１０ｒａとして１００ｍｍ厚のポリスチレンフォーム板１０ｒａが設けられる室内側の床部１０ｒとの対比において、扉下床部分１０ｐ１の断熱性が０．１５倍（＝１５／１００）に縮小してしまい、結果、当該扉下床部分１０ｐ１では、室内側の床部１０ｒと同等の断熱性を確保できなくなる。
【００１１】
本発明は、上記のような従来の問題に鑑みなされたものであって、その目的は、断熱扉の下方の床部分にて高い断熱性を奏させるとともに、同床部分を車両の通行に支障の無い状態にすることにある。
【課題を解決するための手段】
【００１２】
かかる目的を達成するために請求項１に示す発明は、
断熱扉で出入り可能な断熱室の床部のうちで前記断熱扉の下方の床部分に設けられる断熱構造であって、
前記床部は、少なくとも上部にセメント組成体の部分を有し、
前記セメント組成体の部分のうちで前記断熱扉の下方の床部分には、密封且つ減圧された収容体内に多孔質構造の芯材が収容されてなるシート状の断熱部材が埋設されていることを特徴とする。
【００１３】
上記請求項１に示す発明によれば、断熱扉の下方の床部分には、シート状の断熱部材が埋設されているが、かかる断熱部材の芯材を収容する収容体の内部は、減圧されてその真空度が高められている。よって、断熱部材の厚さが薄くても、その厚さ方向に高い断熱性を奏し得て、その結果、断熱扉の下方の床部分に埋設される断熱部材の見込み方向の寸法を小さくしながらも、同床部分に高い断熱性を付与可能となる。そして、これにより、同床部分は、断熱部材の見込み方向の前後に隣接するセメント組成体の部分によっても、車両を確実に支持することができて、その結果、同床部分を車両の通行に支障の無い状態にすることができる。
【００１４】
請求項２に示す発明は、請求項１に記載の断熱扉の下方の床部分の断熱構造であって、
前記断熱扉の下方の床部分に埋設された前記断熱部材の厚さ方向は、見込み方向を向いていることを特徴とする。
【００１５】
上記請求項２に示す発明によれば、断熱部材の厚さ方向は、見込み方向を向いている。また、当該断熱部材の収容体の内部の減圧に由来して、断熱部材は、その厚さが薄くても厚さ方向に高い断熱性を奏し得る。よって、断熱扉の下方の床部分に埋設される断熱部材の見込み方向の寸法を小さくしながらも、同床部分に高い断熱性を確実に付与可能となる。
【００１６】
請求項３に示す発明は、請求項１又は２に記載の断熱扉の下方の床部分の断熱構造であって、
前記断熱部材の上端縁部は、見付け方向に長尺な見切り材によって上方から覆われており、
前記断熱扉の下方の床部分の上面には、前記見切り材が露出していることを特徴とする。
【００１７】
上記請求項３に示す発明によれば、断熱部材の上端縁部は、見切り材によって覆われているので、断熱扉の下方の床部分の上面に露出するのは、見切り材のみであって断熱部材は露出しない。よって、当該床部分の上面を車両などが通行する際に、当該車両の車輪などとの接触により断熱部材が破損することは、見切り材によって防止される。そして、これにより、この破損部位を通して断熱部材内に空気が侵入して真空度が低下するという事態を有効に防止できて、結果、真空度の低下起因で断熱部材の断熱性が低下することを有効に防ぐことができる。
【００１８】
請求項４に示す発明は、請求項３に記載の断熱扉の下方の床部分の断熱構造であって、
前記見切り材は、下面に前記見付け方向に沿った溝部を有し、
前記断熱部材の上端縁部は、前記溝部に差し込まれていることを特徴とする。
【００１９】
上記請求項４に示す発明によれば、断熱部材の上端縁部は見切り材の下面の溝部に差し込まれているので、当該上端縁部の破損を確実に防ぐことができる。  
また、見切り材と断熱部材とを一体化した状態で取り扱うことができるので、施工時などに扱い易いものとなる。
【００２０】
請求項５に示す発明は、請求項１乃至４の何れかに記載の断熱扉の下方の床部分の断熱構造であって、
前記収容体は、二枚の気密性シートが重ね合わせられた状態で当該二枚の気密性シートの外周縁部同士が溶着されることによって形成されており、
溶着された前記外周縁部は、折り曲げられることによって、前記気密性シートのうちで前記芯材が収容されている部分に重ね合わせられていることを特徴とする。
【００２１】
上記請求項５に示す発明によれば、外周縁部は、気密性シートのうちで芯材が収容されている部分に重ね合わせられている。よって、当該外周縁部が重ね合わせられた状態の断熱部材は、その外形よりも内側のほぼ全域に亘って高い断熱性を有した状態となっている。よって、かかる状態で断熱部材を配置することにより、外周縁部が単独で外方に突出している場合に床部分に生じ得る外周縁部起因の断熱欠損を有効に防ぐことができる。
【００２２】
請求項６に示す発明は、請求項３又は４に記載の断熱扉の下方の床部分の断熱構造であって、
前記見切り材は、樹脂製又はゴム製であることを特徴とする。
【００２３】
上記請求項６に示す発明によれば、見切り材は樹脂製又はゴム製であるので、見切り材経由の見込み方向の熱伝導も有効に防止される。そして、これにより、断熱扉の下方の床部分に高い断熱性を確実に付与可能となる。
【００２４】
請求項７に示す発明は、請求項１乃至６の何れかに記載の断熱扉の下方の床部分の断熱構造であって、
前記床部のうちで前記断熱室の室内側の床部は、前記セメント組成体の部分の下方に隣接して断熱材を有しており、
前記断熱部材の下部は、前記断熱材に固定されていることを特徴とする。
【００２５】
上記請求項７に示す発明によれば、床部のうちで室内側の床部は、上部にセメント組成体の部分を有し、同セメント組成体の部分の下方に隣接して断熱材を有している。そして、この断熱材に、上記の断熱部材は固定されている。よって、当該断熱部材を、床部のうちで室内側の床部の断熱材にほぼ連続するように設けることができて、これにより、断熱扉の下方の床部分の断熱欠損を確実に回避可能となる。
【００２６】
請求項８に示す発明は、請求項１乃至７の何れかに記載の断熱扉の下方の床部分の断熱構造であって、
前記断熱部材の厚さは、前記断熱扉の厚さよりも小さいことを特徴とする。
【００２７】
上記請求項８に示す発明によれば、断熱部材の厚さは、断熱扉の厚さよりも小さいので、断熱部材の上端縁部が、断熱扉の下方の床部分の上面に露出している場合であっても、断熱扉が、断熱部材の上方に位置した状態では、当該断熱扉で断熱部材の上端縁部は隠されて見えない状態にすることができる。よって、床部の見栄えを良くすることができる。
【発明の効果】
【００２８】
本発明によれば、断熱扉の下方の床部分にて高い断熱性を奏させるとともに、同床部分を車両の通行に支障の無い状態にすることができる。
【図面の簡単な説明】
【００２９】
【図１】床部１０のうちで壁部７０の近傍の床部分の概略断面図である。
【図２】床部１０のうちで断熱扉１８０の下方の床部分１０ｐ１の概略断面図である。
【図３】床部１０のうちで断熱扉１８０の下方の床部分１０ｐ１の断熱構造の一例の概略断面図である。
【図４】図４Ａは、断熱扉８０及びその近傍部分の概略立面図であり、図４Ｂは、図４Ａ中のＢ−Ｂ矢視図であり、図４Ｃは、図４Ａ中のＣ−Ｃ矢視図である。
【図５】図４Ａ中のＶ−Ｖ矢視図である。
【図６】図６Ａは、真空断熱材３０の概略立面図であり、図６Ｂは、図６Ａ中のＢ−Ｂ矢視図であり、図６Ｃは、真空断熱材３０の外周縁部３０ｅａに形成される溶着部３１ａｍ１，３１ａｍ１…を折りたたんだ状態の概略立面図である。
【図７】図５中の境界部ＢＬの拡大図である。
【図８】図４Ａ中のＶＩＩＩ−ＶＩＩＩ矢視図である。
【図９】図９Ａ及び図９Ｂは、それぞれ真空断熱材３０の変形例の説明図である。
【図１０】図１０Ａ乃至図１０Ｅは、本実施形態に係る扉下床部分１０ｐ１を有した床部１０の施工手順の説明図である。
【図１１】図１１Ａ及び図１１Ｂは、それぞれ、見切り材３５が無い真空断熱材３０を扉下床部分１０ｐ１に適用した場合の説明図である。
【図１２】押さえコンクリート１０ｒｂの見込み方向の端縁部１０ｒｂｅよりも断熱材１０ｒａの見込み方向の端縁部１０ｒａｅの方が、床コンクリート１０ｅｂの方に飛び出している場合の真空断熱材３０の配置例を示す概略断面図である。
【発明を実施するための形態】
【００３０】
＝＝＝本実施形態＝＝＝
図４Ａ乃至図４Ｃは、断熱室の説明図である。図４Ａには、断熱扉８０及びその近傍部分の概略立面図を示し、図４Ｂには、図４Ａ中のＢ−Ｂ矢視図を示し、図４Ｃには、図４Ａ中のＣ−Ｃ矢視図を示している。また、図５は、図４Ａ中のＶ−Ｖ矢視図である。
【００３１】
この例では、断熱室は、建物内にプレハブ造で小屋を追設することにより構築されている。詳しくは、断熱室は、床部１０と壁部７０と天井部９０とを有し、このうちの壁部７０と天井部９０とについては乾式パネル工法で形成されている。すなわち、壁部７０と天井部９０とは、断熱パネル７０Ｐ，９０Ｐによって形成されている。なお、断熱パネル７０Ｐ，９０Ｐは、例えば発泡ポリスチレンフォーム板又は発泡ウレタンフォーム板等の適宜な断熱材をその厚さ方向の両側から一対の鋼板等の金属板で挟み込んだものである。そして、壁部７０用の断熱パネル７０Ｐが、建物の躯体をなすベースコンクリート１の上面１ａに建て込まれて同面１ａにアンカーＡＮＣ等で固定され、これにより、壁部７０が形成されており、また、天井部９０用の断熱パネル９０Ｐが、壁部７０の上端部に掛け渡されつつ同上端部に固定され、これにより天井部９０が形成されている。
【００３２】
一方、床部１０については、基本的には壁部７０が建て込まれて固定された上記のベースコンクリート１上にコンクリートが打設されることによって形成されている。但し、断熱材１０ｒａの有無の点で、床部１０の構造は、断熱室の室内側の床部１０ｒと室外側の床部１０ｅとで互いに相違している。すなわち、図４Ｃに示すように、床部１０のうちの室内側の床部１０ｒ（以下、室内側床部１０ｒとも言う）の形成については、建物のベースコンクリート１の上面１ａに例えば１００ｍｍ厚の発泡ポリスチレンフォーム板又は発泡ウレタンフォーム板等の板状の断熱材１０ｒａが敷き込まれ、その上から押さえコンクリート１０ｒｂが打設されることでなされているが、これに対して、床部１０のうちの室外側の床部１０ｅ（以下、室外側床部１０ｅとも言う）の形成については、建物のベースコンクリート１の上面１ａに、じかに床コンクリート１０ｅｂが打設されることでなされている。なお、床コンクリート１０ｅｂの上面の高さは、押さえコンクリート１０ｒｂの上面の高さと概ね同高に揃えられており、これにより、この後で説明する壁部７０に設けられた出入口用の開口部７０ｈの下方の床部分１０ｐは、概ね段差の無い略平坦な上面の床部分１０ｐとされており、これにて、断熱室の内外への各種車両の円滑な通行が達成されている。ちなみに、押さえコンクリート１０ｒｂ及び床コンクリート１０ｅｂが、請求項に係る「セメント組成体の部分」に相当する。
【００３３】
図４Ａ及び図４Ｂに示すように、壁部７０のうちの所定部分には、出入口用に開口部７０ｈが設けられている。かかる開口部７０ｈは、その上方に壁部７０の一部７０ｕを残しつつ、床部１０の上面１０ａにまで至るように設けられており、これにより、開口部７０ｈの下方には、床部１０の上面１０ａが露出している。また、開口部７０ｈには、断熱扉８０が設けられている。断熱扉８０は、例えば室外側の邪魔にならないように、所定のヒンジ軸Ｃ８０ａ回りに室内側へと観音開きをするように設けられている。詳しくは、断熱扉８０は、見付け方向に一対で並ぶ扉部８０ａ，８０ａを有し、これら各扉部８０ａ，８０ａは三方枠８２によって支持されている。三方枠８２は、開口部７０ｈの上辺に固定される上横枠部分８２ｕと、開口部７０ｈの各側辺にそれぞれ固定される各縦枠部分８２ｓ，８２ｓとを有する。そして、各縦枠部分８２ｓ，８２ｓのヒンジ軸Ｃ８０ａに、各扉部８０ａが水平旋回可能に支持されているが、ここで、図４Ｂに示すように、当該ヒンジ軸Ｃ８０ａは、見込み方向の位置に関して、壁部７０よりも室内側の位置に配置されている。そのため、閉状態の各扉部８０ａ，８０ａは、見込み方向に関して壁部７０よりも室内側に位置するようになっている。また、これら各扉部８０ａ，８０ａが開く際には、各扉部８０ａ，８０ａの戸先部が、更に見込み方向の室内側へと水平旋回し、これにより、各扉部８０ａ，８０ａたる断熱扉８０は、室外側の邪魔にならないようにされている。
【００３４】
なお、各扉部８０ａ，８０ａの構造も、既述の断熱パネル７０Ｐ，９０Ｐとほぼ同構造であり、すなわち、発泡ポリスチレンフォーム板又は発泡ウレタンフォーム板等の適宜な断熱材をその厚さ方向の両側から一対の鋼板等の金属板で挟み込んだものである。
【００３５】
但し、図４Ａ及び図５に示すように、各扉部８０ａ，８０ａの下面には、ゴム製又は樹脂製の略断面コ字型のスカートパッキン８５，８５が固定されており、かかるスカートパッキン８５の一対のヒレ部が、その下端にて床部１０の上面１０ａに摺接することにより、各扉部８０ａ，８０ａの下面と床部１０の上面１０ａとの間に一定の気密性が確保されている。
【００３６】
また、上記の三方枠８２のうちで閉状態の各扉部８０ａ，８０ａと対向する部分には、立面視で略コ字形状にパッキン８７が設けられている（図４Ｂ，図５）。そして、各扉部８０ａ，８０ａが閉じた際には、当該パッキン８７と各扉部８０ａ，８０ａとが当接し、これにより、これら扉部８０ａ，８０ａたる断熱扉８０の閉状態において所定の気密性が担保されるようになっている。
【００３７】
ところで、この例では、図４Ｃに示すように、壁部７０が、室内側床部１０ｒと室外側床部１０ｅとの間の断熱も担っている。すなわち、壁部７０には既述のように断熱パネル７０Ｐが使用され、また、基本的に壁部７０はベースコンクリート１の上面１ａにまで至っている。そして、同上面１ａには、室内側床部１０ｒの既述の断熱材１０ｒａが敷き込まれており、更に当該断熱材１０ｒａと壁部７０とは当接されている。よって、かかる壁部７０により、室内側床部１０ｒの押さえコンクリート１０ｒｂと室外側床部１０ｅの床コンクリート１０ｅｂとは、熱的にほぼ遮断されている。つまり、かかる壁部７０が下方まで存在しているところでは、同壁部７０によって室内側床部１０ｒと室外側床部１０ｅとは断熱されている。
【００３８】
一方、図５に示すように、床部１０のうちで上記開口部７０ｈの下方の床部分１０ｐ（以下、開口部下床部分１０ｐとも言う）には、壁部７０が存在していない。すなわち、開口部７０ｈの下方には床コンクリート１０ｅｂのみが存在しており、そして、それよりも若干見込み方向の室内側に位置する断熱扉８０の下方に、床コンクリート１０ｅｂと押さえコンクリート１０ｒｂとの境界部ＢＬが存在している。そのため、押さえコンクリート１０ｒｂと、床コンクリート１０ｅｂとの間の見込み方向の断熱を、壁部７０で行うことができない。
【００３９】
そこで、かかる見込み方向の断熱を行うべく、本実施形態では、上記の境界部ＢＬに断熱部材３０としてシート状の真空断熱材３０を介挿している。すなわち、断熱扉８０の下方の床部分１０ｐ１たる扉下床部分１０ｐ１に真空断熱材３０を埋設している。
【００４０】
図６Ａは、真空断熱材３０の概略立面図であり、図６Ｂは、図６Ａ中のＢ−Ｂ矢視図である。また、図６Ｃは、真空断熱材３０の外周縁部３０ｅａに形成される溶着部３１ａｍ１，３１ａｍ１…を折りたたんだ状態の概略立面図である。
【００４１】
真空断熱材３０とは、柔軟に変形可能な気密性の収容体内３１に、多孔質構造の芯材３２を収容し、しかる後に、同収容体３１の内部を減圧して所定値まで真空度を高めた状態で同収容体３１を密封したものである。そして、かかる真空断熱材３０は、その内部の真空度に由来して、厚さ方向にも高い断熱性を有する。例えば、１００ｍｍ厚の発泡ポリスチレンフォーム板の熱伝導率が、約０．０２８（Ｗ／ｍ・Ｋ）であるのに対して、真空断熱材３０の熱伝導率は、約０．００２（Ｗ／ｍ・Ｋ）であり、約１４倍の断熱性を有する。そのため、室内側床部１０ｒの断熱材１０ｒａに供された１００ｍｍ厚の発泡ポリスチレンフォーム板１０ｒａと同等の断熱性を確保するには、真空断熱材３０の厚さは７．１４ｍｍ（＝０．００２×１００／０．０２８）以上であれば良い。よって、この例では、７．２ｍｍから１５ｍｍまでの厚さ範囲の中から所定厚さの真空断熱材３０を選択し、そして、選択した真空断熱材３０の厚さ方向を見込み方向に向けながら上記境界部ＢＬに同真空断熱材３０を介挿している。そして、これにより、境界部ＢＬたる扉下床部分１０ｐ１の見込み方向の断熱性を、室内側床部１０ｒと同レベルにしている。
【００４２】
また、上記の厚さ範囲の中から選択された真空断熱材３０を使用すれば、必然的に見込み方向の寸法を１５ｍｍ以下に抑えることができる。よって、従来技術で説明した問題点、すなわち、図３のように断熱部材１３０の見込み方向の寸法が大きい場合に、扉下床部分１０ｐ１の車両の通行に支障を来すという問題も解決することができる。
【００４３】
更に、断熱扉８０の断熱材に上述のポリスチレンフォーム板を用いた場合には、断熱扉８０の各扉部８０ａ，８０ａの厚さは、一般に１００ｍｍ以上になる。そのため、上記の厚さ範囲（７．２ｍｍから１５ｍｍまでの範囲）の中から真空断熱材３０の厚さを選択すれば、図５に示すように、当該厚さを、断熱扉８０の各扉部８０ａ，８０ａの厚さよりも小さくすることができる。よって、真空断熱材３０の上端縁部３０ｅｕを上方から覆う後述の見切り材３５が、扉下床部分１０ｐ１の上面に露出している場合であっても、当該見切り材３５は、その上方に位置する閉状態の断熱扉８０の下方に隠れて見えない状態にされて、これにより、床部１０の見栄えを良くすることができる。
【００４４】
以下、この真空断熱材３０を用いた扉下床部分１０ｐ１の断熱構造について詳しく説明する。  
図６Ａ及び図６Ｂに示すように、真空断熱材３０は、例えば外形が長方形のシート状部材である。そして、かかる真空断熱材３０は、既述のように、収容体３１と、収容体３１内に収容される多孔質構造の芯材３２と、を有する。収容体３１は、二枚の気密性シート３１ａ，３１ａが重ね合わせられた状態で当該二枚の気密性シート３１ａ，３１ａの外周縁部３１ａｅ，３１ａｅ同士が溶着されることによって形成されている。かかる気密性シート３１ａは、例えば、金属箔又は金属蒸着層からなる気密層と、熱可塑性樹脂からなる熱溶着層とを有したラミネートフィルムであり、上述の外周縁部３１ａｅ，３１ａｅ同士の溶着は、熱溶着層が溶融することでなされている。なお、この例では、一対の気密性シート３１ａ，３１ａが、それぞれの外周縁部３１ａｅたる四辺の各部分３１ａｅ１，３１ａｅ１，３１ａｅ１，３１ａｅ１で溶着されることにより、四つの溶着部３１ａｍ１，３１ａｍ１，３１ａｍ１，３１ａｍ１が額縁状に並んで形成されている。そして、この額縁状に並ぶ四つの溶着部３１ａｍ１，３１ａｍ１，３１ａｍ１，３１ａｍ１に囲まれた部分に、多孔質構造の芯材３２を収容する空間が区画形成されている。多孔質構造の芯材３２の材料には、例えば、ウレタンフォーム、スチレンフォーム、フェノールフォーム等の樹脂発砲体や、グラスウール等の繊維体が使用され、この例では、グラスウールが使用されている。また、収容体３１内の真空度は、例えば１〜２００Ｐａの任意値に設定されている。
【００４５】
この真空断熱材３０の具体例としては、ビップエース（ＶＩＰ−Ａ）（商品名：旭ファイバーグラス株式会社製）や、ＶＡＣＵＡ（バキュア）（商品名：パナソニック株式会社製）などが挙げられる。なお、かかる真空断熱材３０は、冷蔵庫等の家電用途ではよく利用されているが、平米（１ｍ２）当たりの単価がポリスチレンフォーム板の約１０倍と非常に高価なことから、一般に大きな対象物を扱う建築用途では使用されていない。
【００４６】
かかる真空断熱材３０の四辺の各溶着部３１ａｍ１は、図６Ｃに示すように、辺毎にそれぞれ内方に折り曲げられ、これにより、各溶着部３１ａｍ１は、気密性シート３１ａのうちで芯材３２が収容されている部分に重ね合わせられた状態になっている。そして、このような状態の真空断熱材３０によれば、その外形よりも内方の全域に亘って高い断熱性を奏し得る。よって、溶着部３１ａｍ１を折り曲げずに同溶着部３１ａｍ１が単独で外方に突出した状態の真空断熱材３０（図６Ａを参照）を用いた場合に当該溶着部３１ａｍ１起因で起こり得る扉下床部分１０ｐ１の部分的な断熱欠損を有効に防ぐことができる。
【００４７】
また、図７に図５中の境界部ＢＬの拡大図を示すが、上記の真空断熱材３０の上端縁部３０ｅｕは、その溶着部３１ａｍ１（「溶着された外周縁部のうちの上側の部分」に相当）が折り曲げられて重ね合わせられた状態で、樹脂製又はゴム製の見切り材３５で覆われている。すなわち、見切り材３５は、断面Ｈ型で見付け方向に長尺な部材であり、下面３５ｄの溝部３５ｄｔに真空断熱材３０の上端縁部３０ｅｕが挿入されている。そして、見切り材３５は、扉下床部分１０ｐ１の上面に露出するように設けられているが、ここで、真空断熱材３０の上端縁部３０ｅｕは、見切り材３５で覆われているので、当該上端縁部３０ｅｕについては、扉下床部分１０ｐ１の上面に露出していない。よって、この扉下床部分１０ｐ１の上面を車両などが通行する際に、当該車両の車輪などとの接触により真空断熱材３０が破損することは、見切り材３５によって有効に防止される。そして、これにより、この破損部位を通して真空断熱材３０内に空気が侵入して真空度が低下するという事態を有効に防止できて、結果、真空度の低下起因で真空断熱材３０の断熱性が低下することを有効に防ぐことができる。
【００４８】
なお、この図７の例では、見切り材３５の上面３５ｕの溝部３５ｕｔには、ウレタン系やシリコン系などのシーリング材３５ｓが充填されているが、場合によっては、見切り材３５の上面３５ｕは溝部３５ｕｔの無い平面でも良く、その場合には、シーリング材３５ｓの充填の必要も無い。
【００４９】
また、見切り材３５は、樹脂製又はゴム製であるとともに、見切り材３５の上面３５ｕの溝部３５ｕｔに充填されるシーリング材３５ｓも樹脂系材料であることから、見切り材３５経由の見込み方向の熱伝導も有効に抑制される。そして、このことも、扉下床部分１０ｐ１の断熱性を高くすることに有効に寄与する。
【００５０】
ところで、この例では、図４Ｂを参照しながら既述したように、断熱扉８０が見込み方向に関して壁部７０よりも若干室内側に位置している。このため、図８に示す図４Ａ中のＶＩＩＩ−ＶＩＩＩ矢視図のように、扉下床部分１０ｐ１たる断熱扉８０の真下の床部分１０ｐ１に設定されるべき、押さえコンクリート１０ｒｂと床コンクリート１０ｅｂとの境界部ＢＬも、見込み方向に関して壁部７０よりも若干室内側に位置している。そして、これに伴って、押さえコンクリート１０ｒｂの平面形状は、開口部７０ｈに対応する部分が平面視コ字形状にへこんだような形状になっており、このへこんだ部分には、床コンクリート１０ｅｂが室内側に迫り出している。よって、正確に言えば、押さえコンクリート１０ｒｂと床コンクリート１０ｅｂとの境界部ＢＬも、平面視コ字形状をなしている。そのため、かかる平面視コ字形状の境界部ＢＬの全長に亘って真空断熱材３０を設けるべく、真空断熱材３０も平面視コ字形状に形成されている。すなわち、真空断熱材３０の長手方向たる見付け方向の両端部３０ｅｓ，３０ｅｓは、それぞれ見込み方向の室外側を向くように折り曲げられている。そして、これにより、境界部ＢＬの全長に亘って押さえコンクリート１０ｒｂと床コンクリート１０ｅｂとの間に真空断熱材３０が介在され、その結果として、扉下床部分１０ｐ１での断熱欠損が有効に回避されている。ちなみに、このように真空断熱材３０の平面視形状がコ字状であることに対応して、見切り材３５の平面視形状もコ字形状とされている。
【００５１】
また、図７の例では、真空断熱材３０は、扉下床部分１０ｐ１の上面と略面一に配置された上記見切り材３５から下方に延在し、そして、同真空断熱材３０の下端縁部３０ｅｄは、ベースコンクリート１の上面１ａに当接する深さにまで到達している。よって、見切り材３５と真空断熱材３０との両者で、室内側床部の押さえコンクリート１０ｒｂ及び断熱材１０ｒａの各側面１０ｒｂｓ，１０ｒａｓをそれぞれ上下方向の全長に亘って覆っており、これにより、押さえコンクリート１０ｒｂと床コンクリート１０ｅｂとの間の断熱を確実に行うことができる。
【００５２】
但し、何等これに限らない。すなわち、真空断熱材３０の下端縁部３０ｅｄが、必ずしもベースコンクリート１の上面１ａに到達している必要はなく、当該下端縁部３０ｅｄが、ベースコンクリート１の上面１ａよりも上方に位置していても良い。例えば、図９Ａに示すように、同下端縁部３０ｅｄを室内側床部１０ｒの断熱材１０ｒａの上端縁部１０ｒａｅｕよりも下方に位置させることによって、同真空断熱材３０の下部３０ｄが、室内側床部１０ｒの断熱材１０ｒａの側面１０ｒａｓのうちの少なくとも上部１０ｒａｓｕに掛かっていれば、上述の場合とほぼ同等の断熱効果を奏することができる。また、場合によっては、図９Ｂに示すように、真空断熱材３０の下端縁部３０ｅｄを室内側床部１０ｒの断熱材１０ｒａの上端縁部１０ｒａｅｕよりも上方に位置させていても良く、この場合には、上述の場合よりも断熱効果が劣ることになるが、相応の断熱効果を得ることができる。
【００５３】
以上、真空断熱材３０が埋設された扉下床部分１０ｐ１の断熱構造について説明してきたが、かかる扉下床部分１０ｐ１を有した床部１０は、例えば図１０Ａ乃至図１０Ｅに示すような施工手順で形成される。
【００５４】
先ず、図１０Ａに示すように、建物のベースコンクリート１の上面１ａに壁部７０用の断熱パネル７０Ｐを建て込んで、同面１ａにアンカーＡＮＣ等で固定することにより、断熱室の壁部７０を形成する。なお、かかる壁部７０は、断熱扉８０が設けられる開口部７０ｈ以外の位置では、これから打設する床コンクリート１０ｅｂ及び押さえコンクリート１０ｒｂの型枠としても機能する。
【００５５】
次に、図１０Ｂに示すように、ベースコンクリート１の上面１ａのうちで、開口部７０ｈに対応して設定される床コンクリート１０ｅｂと押さえコンクリート１０ｒｂとの境界部ＢＬになるべき位置に、当該境界部ＢＬの平面形状に対応した平面視コ字型の板部材１００を型枠１００として配置する。ここで、この型枠１００における室外側の鉛直面には、予め、見付け材３５が付属の真空断熱材３０が両面テープ等で仮固定されていている。但し、場合によっては、型枠１００に真空断熱材３０を仮固定しなくても良い。そして、その場合には、当該真空断熱材３０の境界部ＢＬへの配置は、型枠１００の脱型後に行われることになるが、これについては後述する。  
また、型枠１００の見付け方向の両端部１００ｅ，１００ｅを、それぞれ開口部７０ｈに隣接する各壁部７０，７０に当接固定し、これにより、境界部ＢＬとなるべき位置を越えて床コンクリート１０ｅｂが押さえコンクリート１０ｒｂの打設対象空間へ流入しないようにする。
【００５６】
そうしたら、図１０Ｃに示すように、室外側のベースコンクリート１ｅの上面１ａに床コンクリート１０ｅｂを打設し、しかる後に、床コンクリート１０ｅｂと一体となった真空断熱材３０をその場に残置しながら、型枠１００を脱型し、これにより、図１０Ｄの状態にする。なお、前述したように、型枠１００に真空断熱材３０を予め仮固定していない場合には、この脱型直後に、床コンクリート１０ｅｂの鉛直な脱型面１０ｅｂａに真空断熱材３０を固定し、これにより、図１０Ｄの状態にする。
【００５７】
次に、図１０Ｅに示すように、室内側のベースコンクリート１ｒの上面１ａにポリスチレンフォーム板などの断熱材１０ｒａを隙間無く敷き込む。このとき、真空断熱材３０の近傍に位置する断熱材１０ｒａが真空断熱材３０に当接するように、当該断熱材１０ｒａを配置する。
【００５８】
そうしたら、図１０Ｅに示すように、敷き込んだ断熱材１０ｒａの上面に押さえコンクリート１０ｒｂを打設する。なお、このときには、真空断熱材３０まで押さえコンクリート１０ｒｂが達するように打設する。
【００５９】
最後に、見切り材３５の上面３５ｕの溝部３５ｕｔにシーリング材３５ｓを充填し、以上をもって、床部１０が完成する。
【００６０】
なお、上述の施工手順では、先に床コンクリート１０ｅｂを打設して室外側床部１０ｅを形成し、その後で、断熱材１０ｒａの敷き込み及び押さえコンクリート１０ｒｂの打設を行って室内側床部１０ｒを形成していたが、床部１０ｅ，１０ｒの形成順序は何等これに限るものではなく、逆にしても良い。そして、その場合にも、ベースコンクリート１の上面１ａのうちで上記の室外側床部１０ｅと室内側床部１０ｒとの境界部ＢＬとなるべき位置には、平面視コ字型の型枠１００が配置されるが、その場合には、型枠１００において真空断熱材３０を仮固定する部分は、型枠１００における室内側の鉛直面となる。
【００６１】
また、型枠１００をベースコンクリート１の上面１ａに配置する前に、室内側のベースコンクリート１ｒの上面１ａに断熱材１０ｒａを敷き込み済みの場合には、型枠１００に真空断熱材３０を仮固定する代わりに、境界部ＢＬとなるべき位置の近傍の断熱材１０ｒａの側面１０ｒａｓ（図７）に真空断熱材３０を両面テープ等で固定しても良い。
【００６２】
＝＝＝その他の実施の形態＝＝＝
以上、本発明の実施形態について説明したが、本発明は、かかる実施形態に限定されるものではなく、その要旨を逸脱しない範囲で以下に示すような変形が可能である。
【００６３】
上述の実施形態では、図４Ｂに示すように、開口部７０ｈの下方位置では、壁部７０よりも見込み方向の室内側に若干入り込むように床コンクリート１０ｅｂが設けられていたが、何等これに限らない。例えば、床コンクリート１０ｅｂと押さえコンクリート１０ｒｂとの境界部ＢＬが、開口部７０ｈの真下に位置していても良く、その場合には、図３の例の断熱部材１３０及び断熱扉１８０と同様に、開口部７０ｈの真下に真空断熱材３０が配置されるとともに、開口部７０ｈと同じ平面位置に断熱扉８０が配置されることになる。すなわち、閉状態の断熱扉８０が開口部７０ｈの内方に入り込むように同扉８０は設けられる。
【００６４】
上述の実施形態では、図４Ａ及び図４Ｂに示すように、断熱扉８０として観音開きの扉を例示したが、何等これに限らない。例えば、三方枠８２のうちの一方の縦枠部分８２ｓのヒンジ軸Ｃ８０ａに一枚物の断熱扉が水平旋回可能に支持された片開きの扉にしても良いし、また場合によっては、片開きの引き戸にしても良いし、更には、両開きの引き戸にしても良い。但し、これら何れの場合も、扉下床部分１０ｐ１、すなわち床部１０のうちで閉状態の断熱扉の下方の部分１０ｐ１に、押さえコンクリート１０ｒｂと床コンクリート１０ｅｂとの境界部ＢＬが位置し、この境界部ＢＬに真空断熱材３０が介挿されて、これにより、同真空断熱材３０は扉下床部分１０ｐ１に埋設された状態となっている。
【００６５】
上述の実施形態では、真空断熱材３０の上端縁部３０ｅｕに見切り材３５を設け、これにより当該上端縁部３０ｅｕを見切り材３５で覆っていたが、見切り材３５は無くても良い。例えば、図１１Ａに示すように真空断熱材３０の上端縁部３０ｅｕを上方から床コンクリート１０ｅｂの一部が覆っていても良いし、或いは、図１１Ｂに示すように真空断熱材３０の上端縁部３０ｅｕを上方から押さえコンクリート１０ｒｂの一部が覆っていても良い。また、不図示であるが、場合によっては、真空断熱材３０の上端縁部３０ｅｕをウレタンやシリコン等の適宜なシーリング材で覆っても良い。そして、このようにした場合でも、扉下床部分１０ｐ１の上面に真空断熱材３０の上端縁部３０ｅｕが露出しない状態になるので、真空断熱材３０の破損を有効に防ぎ得て、その結果、真空断熱材３０は高い断熱性を長期に亘って維持可能となる。
【００６６】
上述の実施形態では、図５に示すように、扉下床部分１０ｐ１における室内側床部１０ｒの押さえコンクリート１０ｒｂの見込み方向の端縁部１０ｒｂｅの位置と、断熱材１０ｒａの見込み方向の端縁部１０ｒａｅの位置とは互いに揃っていたが、何等これに限らない。例えば、図１２の概略断面図に示すように、前者の押さえコンクリート１０ｒｂの端縁部１０ｒｂｅよりも後者の断熱材１０ｒａの端縁部１０ｒａｅの方が、見込み方向について床コンクリート１０ｅｂの方に飛び出していても良い。そして、この場合には、真空断熱材３０は、前者の押さえコンクリート１０ｒｂに対しては、その側面１０ｒｂｓに固定されるが、断熱材１０ｒａに対しては上面１０ｒａｕに載置固定されることになる。
【００６７】
上述の実施形態では、断熱室の形成を、建物内に小屋を追設することで行っていたが、何等これに限らない。例えば、建物自体の床部や壁部によって断熱室を形成しても良い。
【００６８】
上述の実施形態では、「セメント組成体の部分」として、押さえコンクリート１０ｒｂ及び床コンクリート１０ｅｂなどのコンクリート製の部分を例示したが、何等これに限らずモルタル製でも良い。
【符号の説明】
【００６９】
１  ベースコンクリート、１ａ  上面、
１ｒ  室内側のベースコンクリート、１ｅ  室外側のベースコンクリート、
１０  床部、１０ａ  上面、
１０ｅ  室外側床部（室外側の床部）、
１０ｅｂ  床コンクリート、１０ｅｂａ  脱型面、
１０ｒ  室内側床部（室内側の床部）、
１０ｒａ  断熱材、１０ｒａｅｕ  上端縁部、
１０ｒａｓ  側面、１０ｒａｓｕ  上部、
１０ｒａｅ  端縁部、１０ｒａｕ  上面、
１０ｒｂ  押さえコンクリート、１０ｒｂｓ  側面、
１０ｒｂｅ  端縁部、
１０ｐ  開口部下床部分（開口部の下方の床部分）、
１０ｐ１  扉下床部分（断熱扉の下方の床部分）、
３０  真空断熱材（シート状の断熱部材）、
３０ｅａ  外周縁部、３０ｅｕ  上端縁部、
３０ｄ  下部、３０ｅｄ  下端縁部、３０ｅｓ  両端部、
３１  収容体、
３１ａ  気密性シート、３１ａｅ  外周縁部、３１ａｅ１  部分、３１ａｍ１  溶着部、
３２  多孔質構造の芯材、
３５ｕ  上面、３５ｕｔ  溝部、３５ｄ  下面、３５ｄｔ  溝部、
３５ｓ  シーリング材、
７０  壁部、７０Ｐ  断熱パネル、７０ｈ  開口部、７０ｕ  一部、
８０  断熱扉、８０ａ  扉部、
８２  三方枠、８２ｓ  縦枠部分、８２ｕ  上横枠部分、
８５  スカートパッキン、８７  パッキン、
９０  天井部、９０Ｐ  断熱パネル、
１００  型枠、１００ｅ  両端部、１３０  断熱部材、１８０  断熱扉、
ＢＬ  境界部、ＡＮＣ  アンカー、Ｃ８０ａ  ヒンジ軸、
【図６】
2014167363.tif 000003
【図１】
2014167363.tif 000004
【図２】
2014167363.tif 000005
【図３】
2014167363.tif 000006
【図４】
2014167363.tif 000007
【図５】
2014167363.tif 000008
【図７】
2014167363.tif 000009
【図８】
2014167363.tif 000010
【図９】
2014167363.tif 000011
【図１０】
2014167363.tif 000012
【図１１】
2014167363.tif 000013
【図１２】
2014167363.tif 000014